(57)【要約】      （修正有）【課題】被案内人を案内することができる案内機能を有するバリケードを提供する。【解決手段】被案内人を誘導するための紐状体（チェーン１１２）を格納する格納手段と、前記被案内人を案内する案内手段と、を有するバリケードである。前記被案内人の使用言語の種類を判定する判定手段を更に有し、前記案内手段が、前記判定手段により判定した前記使用言語を用いて前記被案内人を案内する態様、前記判定手段が前記被案内人の音声を集音する集音部（マイク１２１）を有する態様、前記案内手段が、電気音響変換部（スピーカー１３１）及び表示部（ディスプレイ１３２）の少なくともいずれかを有する態様が好ましい。【選択図】図１
0003206820.tif 000002
【実用新案登録請求の範囲】
【請求項１】
被案内人を誘導するための紐状体を格納する格納手段と、
前記被案内人を案内する案内手段と、
を有することを特徴とするバリケード。
【請求項２】
前記被案内人の使用言語の種類を判定する判定手段を更に有し、
前記案内手段が、前記判定手段により判定した前記使用言語を用いて前記被案内人を案内する請求項１に記載のバリケード。
【請求項３】
前記判定手段が、前記被案内人の音声を集音する集音部を有する請求項２に記載のバリケード。
【請求項４】
前記案内手段が、電気音響変換部及び表示部の少なくともいずれかを有する請求項１から３のいずれかに記載のバリケード。
【請求項５】
前記格納手段が、前記紐状体を巻き取る巻取り機構を有する請求項１から４のいずれかに記載のバリケード。
【請求項６】
グローバルポジショニングシステムを用いた盗難防止手段を更に有する請求項１から５のいずれかに記載のバリケード。
【考案の詳細な説明】
【技術分野】
【０００１】
本考案は、バリケードに関する。
【背景技術】
【０００２】
近年、日本を訪れる外国人観光客が急増し、駅、空港、テーマパーク、イベントの開催会場などで外国人観光客をより確実に案内する対応が望まれている。
【０００３】
様々な国から訪れた外国人を含む人の流れを誘導するため、人員を配置することが考えられるが、複数の言語を使うことができる人員を確保することが困難な場合がある。このため、バリケードが設置されることがあるが、何のために設置されているのか不案内である場合が多いという問題がある。
【考案の概要】
【考案が解決しようとする課題】
【０００４】
本考案は、従来における前記諸問題を解決し、以下の目的を達成することを課題とする。即ち、本考案は、被案内人を案内することができる案内機能を有するバリケードを提供することを目的とする。
【課題を解決するための手段】
【０００５】
前記課題を解決するための手段としては、以下の通りである。即ち、
＜１＞  被案内人を誘導するための紐状体を格納する格納手段と、前記被案内人を案内する案内手段と、を有することを特徴とするバリケードである。
【０００６】
前記＜１＞に記載のバリケードにおいて、前記格納手段が前記紐状体を格納していることにより、前記紐状体の先端を他の構造物に結び付け、前記被案内人を誘導するバリケードとしての機能を発揮するとともに、前記案内手段が前記被案内人を目的に応じて案内することができる。
【０００７】
＜２＞  前記被案内人の使用言語の種類を判定する判定手段を更に有し、前記案内手段が、前記判定手段により判定した前記使用言語を用いて前記被案内人を案内する前記＜１＞に記載のバリケードである。
【０００８】
前記＜２＞に記載のバリケードにおいて、前記被案内人の使用言語の種類を判定する判定手段を更に有し、前記案内手段が前記判定手段により判定した前記使用言語を用いて前記被案内人を案内することにより、前記被案内人に分かりやすく案内することができる。
【０００９】
＜３＞  前記判定手段が、前記被案内人の音声を集音する集音部を有する前記＜１＞から＜２＞のいずれかに記載のバリケードである。
【００１０】
前記＜３＞に記載のバリケードにおいて、前記判定手段が前記被案内人の音声を集音する集音部を有することにより、前記集音部により得られた前記被案内人の音声を解析して前記被案内人の使用言語の種類を判定することができる。
【００１１】
＜４＞  前記案内手段が、電気音響変換部及び表示部の少なくともいずれかを有する前記＜１＞から＜３＞のいずれかに記載のバリケードである。
【００１２】
前記＜４＞に記載のバリケードにおいて、前記案内手段が前記電気音響変換部及び前記表示部の少なくともいずれかを有することにより、音声及び画像の少なくともいずれかにより前記被案内人を案内することができる。
【００１３】
＜５＞  前記格納手段が、前記紐状体を巻き取る巻取り機構を有する前記＜１＞から＜４＞のいずれかに記載のバリケードである。
【００１４】
前記＜５＞に記載のバリケードにおいて、前記格納手段が前記紐状体を巻き取る巻取り機構を有することにより、前記バリケードの保管時に前記紐状体を絡ませずに格納することができる。
【００１５】
＜６＞  グローバルポジショニングシステムを用いた盗難防止手段を更に有する前記＜１＞から＜５＞のいずれかに記載のバリケードである。
【００１６】
前記＜６＞に記載のバリケードにおいて、グローバルポジショニングシステムを用いた盗難防止手段を更に有することにより、前記バリケードが盗難された場合であっても、前記バリケードの位置を把握することができるため、前記バリケードを取り戻すことができる。
【考案の効果】
【００１７】
本考案によると、従来における問題を解決することができ、被案内人を案内することができる案内機能を有するバリケードを提供することができる。
【図面の簡単な説明】
【００１８】
【図１】図１は、本考案のバリケードの一例を示す概略図である。
【図２】図２は、図１のバリケードの内部を示す説明図である。
【考案を実施するための形態】
【００１９】
（バリケード）
本考案のバリケードは、格納手段と、案内手段とを有し、更に必要に応じて判定手段、盗難防止手段などのその他の手段を有する。
【００２０】
前記バリケードとしては、その形状、構造、大きさ、材質などについては特に制限はなく、目的に応じて適宜選択することができるが、屋外に設置される場合もあるため、耐候性を有することが好ましく、強風で移動しないような重量があることがより好ましい。
【００２１】
前記バリケードの形状としては、特に制限はなく、目的に応じて適宜選択することができるが、イベント会場に設置される場合、イベントのイメージキャラクターやシンボルでデザインされることが好ましい。
前記バリケードの構造としては、特に制限はなく、目的に応じて適宜選択することができるが、前記格納手段を内部に設けることが好ましく、内部に設けた前記格納手段から後述する紐状体を引き出すための開口部を設けることがより好ましい。前記格納手段を内部に設けると、外観上問題になることが少なくなる点で有利である。
【００２２】
＜格納手段＞
前記格納手段は、前記被案内人を誘導するための紐状体を格納する手段である。
前記格納手段としては、その形状、構造、大きさ、材質などについては特に制限はなく、目的に応じて適宜選択することができるが、前記紐状体を巻き取る巻取り機構を有することが好ましい。前記格納手段が前記巻取り機構を有すると、前記バリケードの保管時に前記紐状体を絡ませずに格納することができる。また、前記被案内人を誘導するために前記紐状体が引き出された場合には、前記紐状体のたわみをなくすように前記紐状体を巻き取るようにしてもよい。
【００２３】
前記巻取り機構としては、前記紐状体を巻き取ることができれば特に制限はなく、目的に応じて適宜選択することができ、例えば、円筒形のドラムを回転させて前記紐状体を巻き取る機構などが挙げられる。
前記巻取り機構の設置位置としては、特に制限はなく、目的に応じて適宜選択することができるが、前記バリケードの内部が好ましい。前記巻取り機構の設置位置が前記バリケードの内部であると、外観上問題になることが少ない。
【００２４】
前記紐状体は、前記格納手段から引き出されて張架され、前記被案内人の移動を規制しながら前記被案内人を誘導するために用いられる。
前記紐状体としては、特に制限はなく、目的に応じて適宜選択することができ、例えば、チェーン、ロープなどが挙げられる。これらの中でも、機械的強度、耐候性などの点からチェーンが好ましい。
前記チェーンの材質としては、特に制限はなく、目的に応じて適宜選択することができるが、ポリプロピレンが好ましい。前記チェーンの材質がポリプロピレンであると、重量が軽くなり、前記バリケードの移動が容易になる点で有利である。
前記紐状体の先端には、フェンス、ポール等の構造物に引っ掛けることができるフックなどを有することが好ましい。
前記紐状体の本数としては、特に制限はなく、目的に応じて適宜選択することができるが、複数であることが好ましい。
【００２５】
前記被案内人とは、前記バリケードを使用する地域、開催されるイベントなどにより適宜選択することができるが、様々な国から日本に訪れた外国人が好ましい。前記被案内人は、日本人であってもよい。
【００２６】
＜案内手段＞
前記案内手段は、前記被案内人を案内する手段である。
前記案内手段としては、その形状、構造、大きさ、材質などについては特に制限はなく、目的に応じて適宜選択することができるが、前記被案内人の使用言語の種類を判定する判定手段を前記バリケードが有する場合、前記判定手段により判定した前記使用言語を用いて前記被案内人を案内することが好ましい。前記案内手段が前記使用言語を用いて前記被案内人を案内すると、前記被案内人に分かりやすく案内することができる。
【００２７】
前記案内手段としては、電気音響変換部及び表示部の少なくともいずれかを有することが好ましい。前記案内手段が前記電気音響変換部を有すると、前記使用言語の音声により前記被案内人を案内することができる。また、前記案内手段が前記表示部を有すると、前記使用言語の文字を表示した地図などの画像により前記被案内人を案内することができる。
【００２８】
前記電気音響変換部としては、特に制限はなく、目的に応じて適宜選択することができ、例えば、スピーカーなどが挙げられる。
前記表示部としては、特に制限はなく、目的に応じて適宜選択することができ、例えば、液晶ディスプレイなどが挙げられる。
【００２９】
前記案内手段による案内内容としては、特に制限はなく、目的に応じて適宜選択することができ、例えば、最寄りの駅までの道順、最寄り駅からの電車の乗り継ぎ情報などが挙げられる。具体的には、イベント会場における案内内容としては、イベントの内容、イベントの開始時間及び終了時間、迷子の情報、緊急時の避難経路などが挙げられる。
【００３０】
＜その他の手段＞
前記その他の手段としては、特に制限はなく、目的に応じて適宜選択することができ、例えば、判定手段、盗難防止手段、遠隔操作手段、撮影手段、移動補助手段、制御手段などが挙げられる。
【００３１】
＜＜判定手段＞＞
前記判定手段は、前記被案内人の使用言語の種類を判定する手段である。
前記判定手段としては、その形状、構造、大きさ、材質などについては特に制限はなく、目的に応じて適宜選択することができるが、前記被案内人の音声を集音する集音部を有することが好ましい。前記判定手段が前記集音部を有すると、前記集音部により得られた前記被案内人の音声を解析して前記被案内人の使用言語の種類を判定することができる点で有利である。
前記集音部としては、特に制限はなく、目的に応じて適宜選択することができ、例えば、マイクなどが挙げられる。
【００３２】
前記判定手段としては、前記被案内人により各国の国旗や国名などが表示された複数のスイッチを有していてもよい。前記判定手段が前記複数のスイッチを有すると、前記被案内人により前記使用言語に対応する前記スイッチが押下されることにより、前記被案内人の使用言語の種類を判定する。
【００３３】
前記被案内人の使用言語としては、特に制限はなく、目的に応じて適宜選択することができ、例えば、日本語、英語、ドイツ語、フランス語、スペイン語などが挙げられる。
【００３４】
＜＜盗難防止手段＞＞
本考案のバリケードは、前記表示部などを有することにより高価になるため、盗難されるおそれがある。このため、前記バリケードは、前記盗難防止手段を有することが好ましい。
【００３５】
前記盗難防止手段としては、特に制限はなく、目的に応じて適宜選択することができるが、グローバルポジショニングシステム（Ｇｒｏｂａｌ  Ｐｏｓｉｔｉｏｎｉｎｇ  Ｓｙｓｔｅｍ、ＧＰＳ）を用いたものが好ましい。前記盗難防止手段がグローバルポジショニングシステムを用いたものであると、前記バリケードが盗難された場合であっても、前記バリケードの位置を把握することができるため、前記バリケードを取り戻すことができる。
【００３６】
前記盗難防止手段としては、前記バリケードが盗難されたか否かを判定する盗難判定部を有していてもよい。また、前記盗難防止手段は、前記バリケードが盗難されたと判定したとき、前記電気音響変換部により警告音を発するようにしてもよい。前記盗難防止手段が前記電気音響変換部により警告音を発することにより、本考案のバリケードを盗んだ者への警告となる。また、前記バリケードに赤色回転灯を更に設けて、前記盗難防止手段は、前記バリケードが盗難されたと判定したとき、前記赤色回転灯を点灯させて警告するようにしてもよい。
【００３７】
＜＜遠隔操作手段＞＞
前記遠隔操作手段としては、特に制限はなく、目的に応じて適宜選択することができ、例えば、無線又は有線による通信を用いた手段などが挙げられる。
前記バリケードが前記遠隔操作手段を有することにより、例えば、複数の前記バリケードを設置した場合、緊急時において複数の前記バリケードの前記表示部に避難経路を一斉に表示することができる。
【００３８】
＜＜撮影手段＞＞
前記撮影手段としては、特に制限はなく、目的に応じて適宜選択することができ、例えば、監視カメラなどが挙げられる。
前記バリケードが前記撮影手段を有することにより、前記バリケードを設置した周辺の状況を把握できるため、前記案内手段により、状況に応じた適切な案内を行うことができる。
【００３９】
＜＜移動補助手段＞＞
前記移動補助手段としては、特に制限はなく、目的に応じて適宜選択することができ、例えば、キャスターなどが挙げられる。
前記バリケードの下部に前記移動補助手段を取り付けることにより、前記バリケードの移動が容易になる。この場合、前記バリケードを所定の位置に固定できるように、キャスターにはストッパーを備えていることが好ましい。
【００４０】
＜＜制御手段＞＞
前記制御手段は、本考案のバリケードの各動作を制御するＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを有し、バリケード全体の動作を制御するための制御プログラムに基づいて各種処理を実行する。
【００４１】
ここで、本考案におけるバリケードの一例について図面を参照して説明する。
なお、各図面において、同一構成部分には同一符号を付し、重複した説明を省略する場合がある。また、下記構成部材の数、位置、形状等は本実施の形態に限定されず、本考案を実施する上で好ましい数、位置、形状等にすることができる。
【００４２】
図１は、本考案のバリケードの一例を示す概略図である。
図１に示すように、バリケード１００の前面には、前記集音部としてのマイク１２１と、複数のスイッチ１２２と、前記電気音響変換部としてのスピーカー１３１と、前記表示部としてのディスプレイ１３２とが設けられている。これにより、音声及び画像により前記被案内人を案内することができる。
バリケード１００の両側面及び後面には、前記紐状体としてのチェーン１１２を引き出すことができる開口部１０１が各面に設けられている。
バリケード１００の上部には、赤色回転灯１４１が設けられ、図示しない前記盗難防止手段によりバリケード１００が盗難されたと判定したとき、赤色回転灯１４１を点灯させる。
バリケード１００の下部には、前記移動補助手段としてのキャスター１４２が設けられている。
【００４３】
図２は、図１のバリケードの内部を示す説明図である。
図２に示すように、バリケード１００の内部には、チェーン１１２の巻取り機構を有する格納手段１１１が複数設けられている。格納手段１１１は、円筒形のドラムであり、チェーン１１２を格納する際には回転してチェーン１１２を巻き取ることができる。
【符号の説明】
【００４４】
１００    バリケード
１０１    開口部
１１１    格納手段
１１２    紐状体（チェーン）
１２１    集音部（マイク）
１２２    スイッチ
１３１    電気音響変換部（スピーカー）
１３２    表示部（ディスプレイ）
１４１    赤色回転灯
１４２    移動補助手段（キャスター）
【図１】
0003206820.tif 000003
【図２】
0003206820.tif 000004